(57)【要約】      （修正有）【課題】巻尺の帯体を腹囲に巻き付けて測定する際、メタボ腹囲基準を超えていないか、或いは超えているかを瞬時に判断できる巻尺を提供する。【解決手段】ケース３内に巻き取り可能な帯体２に男性用メタボ腹囲基準表示部６、女性用メタボ腹囲基準表示部７を設ける。帯体２に長さ目盛表示部５も設ける。先端１を腹囲にまわして先端１を帯体２に当てて、その先端１の位置を男性用メタボ腹囲基準表示部６、女性用メタボ腹囲基準表示部７と共に視認して比較するだけでメタボの可能性の有無を瞬時に判断することができる。また、通常の長さ測定用のものとしても利用することができる。【選択図】図１
0003142124.tif 000002
【実用新案登録請求の範囲】
【請求項１】
ケース内に巻き取り可能な帯体にメタボリックシンドローム腹囲基準表示部を設けたことを特徴とする巻尺。
【請求項２】
前記帯体に長さ目盛表示部を設けると共に、前記メタボリックシンドローム腹囲基準表示部は男性用、女性用をそれぞれ設けたことを特徴とする請求項１記載の巻尺。
【請求項３】
前記男性用メタボリックシンドローム腹囲基準表示部は、前記長さ目盛表示部の８５ｃｍ表示部に設けられ、前記女性用メタボリックシンドローム腹囲基準表示部は９０ｃｍ表示部に設けられたことを特徴とする請求項２記載の巻尺。
【請求項４】
前記ケースの一側に前記帯体の出し入れ部を設けると共に、前記ケースの他側に指掛け部を設けたことを特徴とする請求項１記載の巻尺。
【請求項５】
前記指掛け部は先端を外側に連通した開口部を有する鉤形であって、前記開口部に開閉具を設けたことを特徴とする請求項４記載の巻尺。
【考案の詳細な説明】
【技術分野】
【０００１】
本考案は、スケール等と称する巻尺に関するものである。
【背景技術】
【０００２】
従来、この種のものとしてメートル（センチ、ミリ）やインチを単位とする目盛が付けられた巻尺が知られている（例えば、特許文献１）。
【０００３】
ところで、近年内臓脂肪症候群などと呼称されてきた病態を統合整理した概念であるメタボリックシンドローム（metabolic syndrome）（以下「メタボ」という）が注目されている。このメタボに関して、日本肥満学会基準においてはメタボの定義として「腹囲男性８５ｃｍ、女性９０ｃｍ以上が必須」となっている。
【特許文献１】実用新案登録第３０９７０３８号公報
【考案の開示】
【考案が解決しようとする課題】
【０００４】
しかし、腹囲を測定し、その長さが男性８５ｃｍ、女性９０ｃｍを境界としてそれ以下かそれ以上かを帯体の長さ目盛表示部を読んで判断することは瞬時に判断をすることはできない。
【０００５】
解決しようとする問題点は、帯体を腹囲に巻き付けて測定する際、メタボ腹囲基準を超えていないか、或いは超えているかを瞬時に判断できる巻尺を提供する点である。
【課題を解決するための手段】
【０００６】
請求項１の考案は、ケース内に巻き取り可能な帯体にメタボリックシンドローム腹囲基準表示部を設けたことを特徴とする巻尺である。
【０００７】
請求項２の考案は、前記帯体に長さ目盛表示部を設けると共に、前記メタボリックシンドローム腹囲基準表示部は男性用、女性用をそれぞれ設けたことを特徴とする請求項１記載の巻尺である。
【０００８】
請求項３の考案は、前記男性用メタボ腹囲基準表示部は、前記長さ目盛表示部の８５ｃｍ表示部に設けられ、前記女性用メタボ腹囲基準表示部は９０ｃｍ表示部に設けられたことを特徴とする請求項２記載の巻尺である。
【０００９】
請求項４の考案は、前記ケースの一側に前記帯体の出し入れ部を設けると共に、前記ケースの他側に指掛け部を設けたことを特徴とする請求項１記載の巻尺である。
【００１０】
請求項５の考案は、前記指掛け部は先端を外側に連通した開口部を有する鉤形であって、前記開口部に開閉具を設けたことを特徴とする請求項４記載の巻尺である。
【考案の効果】
【００１１】
請求項１の考案によれば、先端の位置をメタボ腹囲基準表示部と共に視認して比較するだけでメタボの可能性の有無を瞬時に判断することができる。
【００１２】
請求項２の考案によれば、通常の長さ測定用のものとしても利用でき、さらに男女別のメタボ腹囲基準で性別に対応することができる。
【００１３】
請求項３の考案によれば、日本肥満学会基準のメタボの定義と合致できる。
【００１４】
請求項４の考案によれば、一方の手の指を指掛け部に掛けてケースを保持し、他方の手の指で先端を摘んで使用することができる。
【００１５】
請求項５の考案によれば、開口部を通して指掛け部にベルトなどを通すことなどができる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜２は実施例１を示しており、巻尺は、先端１を引き出し可能とした巻き取り可能な帯体２と、この帯体２を収容するケース３とを備えると共に、ケース３の一側に先端１側が出し入れされる出し入れ部４が口部によって形成されている。帯体２は金属薄板、合成樹脂薄板等の可撓性の薄板材よって形成されたものであり、その表面に先端１を基準として長さ目盛表示部５が長手方向に沿って設けられている。実施例では長さ目盛表示部５は、印刷による塗料によって形成されている。尚、帯体２のケース３に収容されている基端側（図示せず）には、ばね（図示せず）が接続されて、引き出された先端１から手を離すとばねの復元力により自動的に巻き取りがなされるようになっている。
【００１８】
そして、長さ目盛表示部５における８５ｃｍの部位に男性用メタボ腹囲基準表示部６を設け、９０ｃｍの部位に女性用メタボ腹囲基準表示部７をそれぞれ設ける。これら男性用メタボ腹囲基準表示部６、女性用メタボ腹囲基準表示部７は、８５ｃｍの部位と９０ｃｍの部位に線表示部によって設けられている。さらに、例えば帯体２の表面は白色、長さ目盛表示部５は黒色、男性用メタボ腹囲基準表示部６は黒色、女性用メタボ腹囲基準表示部７は赤色のように、帯体２の表面、長さ目盛表示部５、男性用メタボ腹囲基準表示部６、女性用メタボ腹囲基準表示部７は、それぞれ異なる色で表されている。
【００１９】
前記ケース３の他側には指掛け部８が設けられている。この指掛け部８は外側に連通した開口部９を有するＪ字、Ｕ字、コ字などの鉤形であって、開口部９に該開口部９を開閉可能な開閉具10を設けている。この開閉具10は一端10Ａをケース３に回動自在に接続すると共に、他端10Ｂを開口部９端部に係止可能に設けたもので、開閉具10自体のバネ性で他端10Ｂが開口部９端部の方向に付勢するようになっている。さらに、指掛け部８には環状のチェーン、ワイヤー等の吊り下げ材11が接続している。
【００２０】
次に前記構成についてその作用を説明する。一方の手Ａの指を指掛け部８に掛けた状態で、他方の手Ｂで先端１を摘んで帯体２を腹Ｃに回して腹囲を測定する。この際、先端１が男性用メタボ腹囲基準表示部６、女性用メタボ腹囲基準表示部７を基準として、これより先端１側にあると腹囲が８５ｃｍ、９０ｃｍより短く、先端１が反対側にあると腹囲が８５ｃｍ、９０ｃｍより長いことが瞬時に視認することができる。
【００２１】
尚、巻尺の不使用状態では開閉具10を開いて開口部９に例えば腰のベルト（図示せず）を通し、そして開閉具10を閉じることで巻尺をベルトに吊り下げて、体と一体的に保持しておくことができる。尚、吊り下げ材11によって例えば壁に取り付けたフック金具（図示せず）に吊り下げておくこともできる。
【００２２】
以上のように、前記実施例では請求項１に対応して、ケース３内に巻き取り可能な帯体２に男性用メタボ腹囲基準表示部６、女性用メタボ腹囲基準表示部７を設けたことにより、先端１を腹囲にまわして先端１を帯体２に当てて、その先端１の位置を男性用メタボ腹囲基準表示部６、女性用メタボ腹囲基準表示部７と共に視認して比較するだけでメタボの可能性の有無を瞬時に判断することができる。
【００２３】
また、前記実施例では請求項２に対応して、帯体２に長さ目盛表示部５を設けたことにより、通常の長さ測定用のものとしても利用することができる。また、男性用メタボ腹囲基準表示部６、女性用メタボ腹囲基準表示部７を別々に設けたことで性別によるメタボ状況を正確に把握することができる。
【００２４】
さらに、前記実施例では請求項３に対応して、男性用メタボ腹囲基準表示部６、女性用メタボ腹囲基準表示部７は、長さ目盛表示部５の８５ｃｍ表示部と９０ｃｍ表示部に線表示部によって形成されたことにより、日本肥満学会基準のメタボの定義と合致でき、日本人に対応したメタボ腹囲基準とすることができる。
【００２５】
また、実施例では請求項４に対応して前記ケース３の一側に帯体２の出し入れ部４を設けると共に、ケース３の他側に指掛け部８を設けたことにより、一方の手の指Ａを指掛け部８に掛けてケース３を保持した状態で、他方の手Ｂの指で先端１を摘んで帯体２を簡単に引き出すことができる。
【００２６】
前記実施例では請求項５に対応して、前記指掛け部８は先端１を外側に連通した開口部９を有する鉤形であって、開口部９に開閉具10を設けたことにより、開閉具10により開口部９を開閉することで、開口部９を通して指掛け部８にベルトなどを通すことなどができ、保管等を簡単に行うことができる。
【実施例２】
【００２７】
図３は実施例２を示しており、前記実施例１と同一箇所には同一符号を付し、その詳細な説明を省略する。実施例２においては、男性用メタボ腹囲基準表示部６、女性用メタボ腹囲基準表示部７を、それぞれズボンをはいた男性形状のデザイン、スカートをはいた女性形状のデザインであらわしたものである。このようなデザインによって性別ごとのメタボ腹囲基準表示をわかりやすく設置することができる。
【産業上の利用可能性】
【００２８】
以上のように本考案にかかる巻尺は、メタボリックシンドローム腹囲基準表示部を国際糖尿病連合の基準に基づいて男性用メタボ腹囲基準を９０ｃｍ、女性用メタボ腹囲基準を８０ｃｍにするなど各種の用途に適用できる。
【図面の簡単な説明】
【００２９】
【図１】本考案の実施例１を示す斜視図である。
【図２】同要部の拡大平面図である。
【図３】本考案の実施例２を示す平面図である。
【符号の説明】
【００３０】
２  帯体
３  ケース
４  出し入れ部
５  長さ目盛表示部
６  男性用メタボ腹囲基準表示部
７  女性用メタボ腹囲基準表示部
８  指掛け部
９  開口部
10  開閉具
【図１】
0003142124.tif 000003
【図２】
0003142124.tif 000004
【図３】
0003142124.tif 000005